(57)【要約】      （修正有）【課題】詰物の素材および使用する量を適宜変更することができる中袋体を表皮側地で覆うことにより構成される枕において、表皮側地内にある詰物を入れた中袋体の動きが生じない枕を提供する。【解決手段】詰物２を充填した一つの中袋体３，４が襠布１２で区画されて複数の小室１３に分割され、個々の小室１３には詰物充填出し入れ口１６を配し、詰物２を充填出し入れ可能とし、枕使用者の体形に応じた量の詰物２を小室１３へ充填することを可能にした枕１において、表皮側地６と、表皮側地６に囲われた中袋体３，４との間及び又は隣接する中袋体３，４間に係止手段１５を介在させ、係止手段１５により表皮側地６内における中袋体３，４及び又はプロファイルシート９の位置を固定する。【選択図】図１
0003192025.tif 000002
【実用新案登録請求の範囲】
【請求項１】
詰物を充填した複数の中袋体或はプロファイルシートを重ね合わせ、これらの中袋体等を表皮側地で覆ってなる枕であって、詰物を充填した一つの中袋体が襠布で区画されて複数の小室に分割され、個々の小室には詰物充填取出口を配し、詰物を充填取出し可能とし、枕使用者の体形に応じた量の詰物を小室へ充填することを可能にした枕において、表皮側地と、表皮側地に囲われた中袋体との間及び又は隣接する中袋体間に係止手段を介在させ、該係止手段により表皮側地内における中袋体及び又はプロファイルシートの位置を固定したことを特徴とする枕。 
【考案の詳細な説明】
【技術分野】
【０００１】
本考案は、枕の詰物の材質及び量、その組合せを適宜変更した袋体を重ね合わせ、表皮側地で覆う枕に関し、詰物の枕内における重量配分に移動がないように詰物の袋体を固定した枕に係る。
【背景技術】
【０００２】
枕は、人が横になって眠る時、敷き寝具と身体との間にできる空隙、特に後頭部と頸部にできる空隙を詰め、頭をしっかりと支えることが大切である。
そのために、後頭部と頸部にできる前記空隙を無くす体積に相当する量の詰物を枕袋体内に封入しなければならないが、その量は就寝者により異なることになるため、袋体は常に余裕を持った内容積を持っている。その為、詰物の量が少ないと袋体が容易に移動し、結果袋体内の詰物の配置が適切に実行されず寝心地に悪影響を及ぼすことになる。
よって、袋体の移動を可及的に少なくするようにしなければならない。
袋体内の詰物量を調整することで枕の高さ等を変更する枕は特許文献１に記載されているが、袋体は平板的に連設されているもので、重ねられた袋体ではない。
【０００３】
枕は、人が横になって眠る時、敷き寝具と身体との間にできる空隙、特に後頭部と頸部にできる空隙を詰め、頭をしっかりと支えることが大切である。そのためには頸椎部支持部と頭部支持部とをそれぞれ独立・連設した袋体とした枕が特許文献１に示されている(特許文献１参照)。
また、表皮側地にマチを設けることにより構成した複数の小室を連設し、仰臥位や側臥位寝姿勢に応じた頭部形状や頸部形状に対応させ、該小室内に詰物を選択調整し封入する枕が記載されている(特許文献２，３参照)。  
【先行技術文献】
【特許文献】
【０００４】
【特許文献１】特許第５１１５８８１号公報
【特許文献２】特許第３８７３２２８号公報
【特許文献３】実用新案登録第３１５４５６３号公報
【考案の概要】
【考案が解決しようとする課題】
【０００５】
使用者の頭部や頸部の形状に合わせた枕とするために、枕の詰物の素材および使用する量を適宜変更することができる中袋体を表皮側地で覆うことにより構成される枕においては、該中袋体を構成する小室内に詰める詰物の量を変えることになり、該中袋体の容積１００％に詰物を充填する場合比べ、充填量に余裕ができることになり、その結果、該表皮側地内にある詰物を入れた中袋体が動きやすくなるので、その動きが生じないように工夫するのが本考案の目的である。
【課題を解決するための手段】
【０００６】
請求項１記載の考案は、詰物を充填した複数の中袋体或はプロファイルシートを重ね合わせ、これらの中袋体等を表皮側地で覆ってなる枕であって、詰物を充填した一つの中袋体が襠布で区画されて複数の小室に分割され、個々の小室には詰物充填取り出し口を配し、詰物を充填取り出し可能とし、枕使用者の体形に応じた量の詰物を小室へ充填することを可能にした枕において、表皮側地と、表皮側地に囲われた中袋体との間及び又は隣接する中袋体間に係止手段を介在させ、該係止手段により表皮側地内における中袋体及び又はプロファイルシートの位置を固定した。
【考案の効果】
【０００７】
本考案枕は、詰物を内封した中袋体或はウレタンフォームの凹凸プロファイルシートを重ねて枕としての高さを得ると共に、頭部或は頸部周辺の寝具との間に生ずる間隙部を埋めて安定した状態で頭部・頸部を支えているが、枕の高さを低くしなければならない場合などには詰物を取り出さねばならないことが生ずる。このような場合、重ねた中袋体は隣接するもの同志動き易く、希望する積み重ねた枕の形を得にくいことになる。
【０００８】
然し、重ね合わせ隣接する中袋体或はプロファイルシートの間に固定手段が設けてあれば隣接する中袋体或はプロファイルシートは妄動せず位置が安定するため、寝心地を悪くするようなことはない。
【図面の簡単な説明】
【０００９】
【図１】本考案枕の縦断正面図。
【考案を実施するための形態】
【００１０】
本考案枕の、実施の一例を図面と共に次に説明する。
本考案枕１は、詰物２を封入してなる第１，第２の中袋体３，４を体圧分散調整層５に重ね、それらを表皮側地６で覆っているが、その積層状態は次の如くである。第１の中袋体３を中心にして、その両面のそれぞれに、前記表皮側地６に囲われた２つの空間７，８を作り、空間７には第２の中袋体４を差し込み、且つ、もう一つの下部空間８に体圧分散調整層として、ポリウレタンフォームの凹凸プロファイルシート９を差し込んでいる。第１，第２の中袋体３，４は、中に詰め込んだ詰物２の種類或は量等を調整するため襠布１２によって適宜容量の小室１３に区画し、各区画室ごとに詰物出し入れ口１６を設け、それぞれにファスナー１４が設けられている。
【００１１】
中袋体３，４が表皮側地６で構成される空間７，８内で動かないようにするには、中袋体３，４と表皮側地６とを縫着する手段がとられるが、詰物２を出し入れして高さ調整するのは手間のかかる作業となる。また、中袋体３，４と表皮側地６を紐で系縛することもできるが手間がかかり煩雑である。面ファスナーや粘着テープなどで中袋体３，４を固定する手段では中袋体３，４の出し入れは難しい。
スナップ釦１１で系縛する手段はワンタッチで操作でき簡単であるが、スナップ釦１１の脱着力が強すぎる場合は着脱し難く、弱すぎると外れやすい。適度の脱着力を有するスナップ釦１１で、表皮側地６と中袋体３，４とをしっかりと系縛する。
【００１２】
さらに、表皮側地６と中袋体３，４とを滑りにくくする手段を施すことで、スナップ釦１１が外れた場合でも、表皮と側地とがずれ難くなり、枕高さを安定にすることができる。
即ち、中袋体３，４と表皮側地６が接する面の一部に滑り止め加工を施すことで、表皮と側地はズレ難く、枕高さを維持し易くできる。
【００１３】
滑り止め加工としては、布地の表面を粗面化する手段がよいが、布地に皺やエンボスなどの凹凸加工１５を施した、すべり止め加工としては、樹脂を布地表面に施す手段が効果的である。ドット径１〜３mmφ程度の樹脂を１〜１０mm程度の間隔で布地表面に配することが好ましく、ドット間隔が粗いと滑り止め効果は低下し、間隔が密すぎると枕の風合いとして硬くなる。樹脂としては、ホットメルト樹脂、アクリル系樹脂、ウレタン系などのプリントやコーティングなどが有効である。
【００１４】
敷き寝具の上に横たわった時、材料表面に加わる体の重さは、材料の中を四方八方に拡がり分散させながら、厚さ方向にその力を減衰させて伝わることになる。
頭部の下に枕を置く場合、枕に加わる力は、枕中材詰物材料が硬いと敷き寝具にそのまま力が伝わる。枕と敷き寝具との間にポリウレタンフォーム製シートを差し込んだ場合、シート材料が硬いと加わる力はそのまま下方に伝わるが、柔らかいと下方の敷き寝具に加わる力を減ずることになり体圧分散を調整することができ、該シートを体圧分散調整層５と呼ぶ。
【００１５】
そして、上部空間７に差し込まれた第２の中袋体４は、その外周４隅と中袋体４の長手方向に位置する縁部中央の２箇所の計６箇所に設けたスナップ釦１１によって、表皮側地６の該当位置に設けられているスナップ釦１１と系縛固定される。スナップ釦１１で系縛する手段はワンタッチで操作でき簡単ではあるが、スナップ釦１１の脱着力が強過ぎる場合は着脱し難く、脱着時の枕生地の破損に通じる恐れがあり、弱過ぎると外れ易い。スナップ釦が外れ表皮と側地とがずれた場合でも、ずれに伴う微少な圧力変化を調整してくれる手段として２層よりなる中袋に体圧分散調整層５をもう１層加え３層の積層枕とすることで頭部や頸部にかかる圧力を軽減する枕となる。
【００１６】
前記ポリウレタンフォーム製シートは、凹凸プロファイルシート９が好ましく、体圧分散調整層５として３層の積層枕とすることで頭部や頸部にかかる圧力を軽減する。
【００１７】
ポリウレタンフォームは、原料のポリオールとイソシアネートとを主成分に、発泡剤、整泡剤、触媒、着色剤などを混合させながら発泡させ、様々な特性を有するポリウレタンフォームが得られ本発明の分野で多用されている。その特性は、硬さ（Ｎ：ニュートン）、密度(ｋｇ／ｃｍ3)、反発弾性率（％）などで表現され、JIS K6401，JIS K7222，JIS K6400に準拠して評価する。
【００１８】
体圧分散調整層５としてのポリウレタン凹凸プロファイルシート９は、第１の中袋体３と第２の中袋体４の下部に設けることにより、第１の中袋体３と第２の中袋体４の積層状態がズレたり、スナップボタンが外れ表皮と側地とがずれた場合などの微少な位置のズレに伴う圧力変化を分散させて調節してくれる部材であり、ポリウレタンフォーム表面に凹凸プロファイル形状を施したシートが好ましい。
個人個人の後頭部や頸部形状に合わせる際、１０mm〜３０mm厚さで、JIS K6401-2（Ｄ法）に準拠した２５％圧縮時硬度１５〜４０Ｎのポリウレタンフォーム製の凹凸プロファイルシート９として、枕の中に組み込まれ、上部にある第１の中袋体３と第２の中袋体４を介して枕の頭部や頸部に加わる圧力を分散させるためのものであり、第１の中袋体３、第２の中袋体４とプロファイルシート９とを合わせて体圧を調節できる。
【００１９】
本考案の枕は、枕に頭を載せた時、枕上部にある第１の中袋体３と第２の中袋体４を介して頭部や頸部に伝わる微少な圧力変化を感じさせないようにするものであり、更には、本考案の枕を使用することで、枕の下に位置する敷き寝具への圧の加わり方が軽減され、身体全体の体重を支える敷き寝具特性への影響も緩和させるので、同一の枕で敷き寝具を替えても寝心地への影響が出にくい枕である。
【００２０】
本考案では、枕や敷き寝具に用いられるウレタンフォーム材料よりも、２５％圧縮時硬度が低い１５〜４０Ｎで、１０mm〜３０mm厚さのポリウレタンフォームシートを積層枕の下部に配し、さらに該シートの上側表面（頭の重さが加わる面）に凹凸プロファイル形状を配することで、頭部から受ける圧を枕の中で分散させ、敷き寝具に伝わり難くする工夫を施している。
【００２１】
シート表面が平らであると、荷重を受けたとき、その部分が沈み込むと同時に荷重を受けた部分の周囲の部分を引き込むことにより周囲の部分も変形し、該部の伸張弾性力が荷重部分の圧縮弾性力に影響を及ぼし、荷重部分の見掛上の圧縮弾性力が大きくなる。これは、材料の表面張力によるものであり、荷重拡散度と呼ばれ平らなウレタン表面の欠点であり、ポリウレタンフォームに凹凸プロファイル加工を施すことで、加わる荷重の大きさに比例してウレタンフォームが変形する。したがって、後頭部、頸椎部分に加わる荷重の大きさで枕が変形することになり、枕としてしっかと後頭部や頸椎部を支え、寝心地も良く、敷きふとんとにフィットしやすい枕となる。
【００２２】
なお、本考案に用いるウレタンフォームは、反発弾性率５％程度の所謂低反発ウレタンフォームではなく、通常のウレタンフォームで、プロファイル加工しやすい２５％圧縮時硬度５０〜９０Ｎ程度の通常のウレタンフォームが好ましい。
【符号の説明】
【００２３】
１  枕
２  詰物
３  第１の中袋体
４  第２の中袋体
５  体圧分散調整層
６  表皮側地
７  上部空間
８  下部空間
９  ポリウレタンフォームの凹凸プロファイルシート
１１  スナップ釦
１２  襠布
１３  小室
１４  ファスナー
１５  係止手段
１６  詰物充填出し入れ口 
【図１】
0003192025.tif 000003